(57)【要約】【課題】外壁表面の保護や色合いの変化に加え、外壁全体を改修するのと同等の効果が得られ、その上、将来増々重要となる環境問題に対応し、省エネルギー効果をも持たせるようにした建築物外壁のリフォーム施工方法を提供する。【解決手段】外板２に断熱材３を接合したリフォーム用の外壁１に孔を形成し、該孔にボルト状の固定部材を挿入可能とすると共に、前記固定部材と協働する固定部材をリフォーム前の外壁１００に埋設・固定し、前記固定部材とリフォーム前の外壁１００に埋設・固定した固定部材とでもって、リフォーム用の外壁１をリフォーム前の外壁１００に取り付け固定するようにし、前記リフォーム用の外壁１の表面にタイル１９等表面仕上げ部材を取り付けるようにする。【選択図】          図３
2006336443.tif 000002
【特許請求の範囲】
【請求項１】
外板に断熱材を接合したリフォーム用の外壁に孔を形成し、該孔にボルト状の固定部材を挿入可能とすると共に、前記固定部材と協働する固定部材をリフォーム前の外壁に埋設・固定し、前記固定部材とリフォーム前の外壁に埋設・固定した固定部材とでもって、リフォーム用の外壁をリフォーム前の外壁に取り付け固定するようにし、前記リフォーム用の外壁の表面にタイル等表面仕上げ部材を取り付けたことを特徴とする建築物外壁のリフォーム施工方法。
【請求項２】
ボルト状の固定部材にボルト機能を持たせると共に、リフォーム前の外壁に埋設・固定する固定部材にナット機能を持たせ、ボルト状の固定部材をリフォーム前の外壁に埋設・固定する固定部材に螺合させるようにしたことを特徴とする請求項１記載の建築物外壁のリフォーム施工方法。
【請求項３】
ボルト状の固定部材の先端部分をローレット加工部とし、筒状に形成されたリフォーム前の外壁に埋設・固定する固定部材の内径部に、前記ボルト状の固定部材のローレット加工部を打ち込むようにしたことを特徴とする請求項１記載の建築物外壁のリフォーム施工方法。
【請求項４】
ボルト状の固定部材の先端部分に凸状部を設け、筒状に形成されたリフォーム前の外壁に埋設・固定する固定部材の内径部に、前記ボルト状の固定部材の凸状部を打ち込むようにしたことを特徴とする請求項１記載の建築物外壁のリフォーム施工方法。
【発明の詳細な説明】
【技術分野】
【０００１】  本発明は、鉄筋コンクリート造その他オフィスビルや一般住宅等建築物の外壁リフォームに有効な施工方法に関するものである。
【背景技術】
【０００２】  オフィスビルや一般住宅等建築物は、使用年数が多くなるにつれて修理が必要となるものであるし、修理の必要はないまでも、種々の理由によりリフォームを行なう場合が多々発生する。特に外壁は、屋根と同様に直射熱や風雨に晒されるので、強い刺激を常時受けることになり、表面が荒れ、色合いも変化して来る。その為、外壁（特に外壁表面）については、建築物そのものの耐用年数の間には、数回の補修（リフォーム）が必要となる。【０００３】  従来より、外壁の補修としては、塗料等の表面保護材を吹き付けたり、塗付する方法が採用されており、現在もその方法が取られている。
【発明の開示】
【発明が解決しようとする課題】
【０００４】  然しながら、塗料等の表面保護材を吹き付けたり、塗付する方法は、単純作業と思われる割りには高価であり、外壁表面の色合いを好みに合わせて変えることが出来るメリットがあるものの、費用対効果という面で考えると、今１つ満足の行くものではなかった。これは、塗料等の表面保護材を吹き付けたり、塗付するという従来から行なわれている方法が、外壁構造には手をつけず単に外壁表面を塗り変えただけという印象が強いからである。それだからといって、外壁そのものを造り変えるとなると工事が大掛かりとなり、莫大な費用がかかってしまう。【０００５】  本発明は、こうした従来技術の問題点に鑑み、外壁表面の保護や色合いの変化に加え、外壁全体を改修するのと同等の効果が得られ、その上、将来増々重要となる環境問題に対応し、省エネルギー効果をも持たせるようにすることが可能な建築物外壁のリフォーム施工方法を提供することを目的としている。
【課題を解決するための手段】
【０００６】  上記目的を達成するために、請求項１記載の発明は、外板に断熱材を接合したリフォーム用の外壁に孔を形成し、該孔にボルト状の固定部材を挿入可能とすると共に、前記固定部材と協働する固定部材をリフォーム前の外壁に埋設・固定し、前記固定部材とリフォーム前の外壁に埋設・固定した固定部材とでもって、リフォーム用の外壁をリフォーム前の外壁に取り付け固定するようにし、前記リフォーム用の外壁の表面にタイル等表面仕上げ部材を取り付けるようにしたものである。この様に構成したことにより、リフォーム後の外壁は新設したのと同様になり、リフォーム用の外壁に断熱材をも使用したことで、断熱効果が高まり、室内の温度への外気の影響が少なくなって、冷暖房時のエネルギー使用量を少なく抑えることが出来る。更に、リフォーム用の外壁として外板と断熱材を接合したものを使用してあるので、前記外板の表面にタイル等表面仕上げ部材を取り付けられるようになり、外壁表面の選択肢が非常に多くなる。【０００７】  請求項２記載の発明は、ボルト状の固定部材にボルト機能を持たせると共に、リフォーム前の外壁に埋設・固定する固定部材にナット機能を持たせ、ボルト状の固定部材をリフォーム前の外壁に埋設・固定する固定部材に螺合させるようにしてリフォーム用の外壁をリフォーム前の外壁に取り付け固定するようにしたものである。この様に構成したことにより、リフォーム前の外壁に埋設・固定した固定部材のナット機能部とボルト状の固定部材のボルト機能部が協働して、確実に取り付け固定することが出来る。【０００８】  請求項３記載の発明は、ボルト状の固定部材の先端部分をローレット加工部とし、筒状に形成されたリフォーム前の外壁に埋設・固定する固定部材の内径部に、前記ボルト状の固定部材のローレット加工部を打ち込むようにしてリフォーム用の外壁をリフォーム前の外壁に取り付け固定するようにしたものである。この様に構成したことにより、リフォーム用の外壁のリフォーム前の外壁への取り付け固定が極めて簡単に行なわれ、施工の作業性が向上するのは勿論、リフォーム前の外壁に埋設・固定した固定部材の内径部に打ち込まれたボルト状の固定部材のローレット加工部の働きで、回り止めが成され、緩み防止を図ることが可能となり、リフォーム用の外壁のリフォーム前の外壁への取り付け固定を、より確実に行なうことが出来る。【０００９】  請求項４記載の発明は、ボルト状の固定部材の先端部分に凸状部を設け、筒状に形成されたリフォーム前の外壁に埋設・固定する固定部材の内径部に、前記ボルト状の固定部材の凸状部を打ち込むようにしてリフォーム用の外壁をリフォーム前の外壁に取り付け固定するようにしたものである。この様に構成したことにより、リフォーム用の外壁のリフォーム前の外壁への取り付け固定が極めて簡単に行なわれ、施工の作業性が向上するのは勿論、リフォーム前の外壁に埋設・固定した固定部材の内径部に打ち込まれたボルト状の固定部材の凸状部の先端部が変形することで、回り止めが成され、緩み防止を図ることが可能となり、リフォーム用の外壁のリフォーム前の外壁への取り付け固定を、より確実に行なうことが出来る。
【発明の効果】
【００１０】  本発明は、以上説明したように構成されているので、下記に説明するような効果を奏する。【００１１】  請求項１記載の建築物外壁のリフォーム施工方法に於いては、外板に断熱材を接合したリフォーム用の外壁に孔を形成し、該孔にボルト状の固定部材を挿入可能とすると共に、前記固定部材と協働する固定部材をリフォーム前の外壁に埋設・固定し、前記固定部材とリフォーム前の外壁に埋設・固定した固定部材とでもって、リフォーム用の外壁をリフォーム前の外壁に取り付け固定するようにし、前記リフォーム用の外壁の表面にタイル等表面仕上げ部材を取り付けるようにしたので、リフォーム後の外壁が新設同様となり、リフォーム用の外壁に断熱材をも使用したことで、断熱効果が高まり、室内の温度への外気の影響が少なくなって、冷暖房時のエネルギー使用量が少なく抑えられ、環境への配慮が可能となる。そして、リフォーム用の外壁として外板と断熱材を接合したものを使用したことから、前記外板の表面にタイル等表面仕上げ部材を自由に取り付けられるようになり、外壁表面の選択肢を多くすることが出来る。【００１２】  請求項２記載の建築物外壁のリフォーム施工方法に於いては、ボルト状の固定部材にボルト機能を持たせると共に、リフォーム前の外壁に埋設・固定する固定部材にナット機能を持たせ、ボルト状の固定部材をリフォーム前の外壁に埋設・固定する固定部材に螺合させるようにしてリフォーム用の外壁をリフォーム前の外壁に取り付け固定するようにしたので、リフォーム前の外壁に埋設・固定した固定部材のナット機能部とボルト状の固定部材のボルト機能部が協働して、確実に取り付け固定することが出来る。【００１３】  請求項３記載の建築物外壁のリフォーム施工方法に於いては、ボルト状の固定部材の先端部分をローレット加工部とし、筒状に形成されたリフォーム前の外壁に埋設・固定する固定部材の内径部に、前記ボルト状の固定部材のローレット加工部を打ち込むようにしてリフォーム用の外壁をリフォーム前の外壁に取り付け固定するようにしたので、リフォーム用の外壁のリフォーム前の外壁への取り付け固定が、ハンマー等で単に打ち込むだけという極めて簡単な操作で行うことが可能となり、施工の簡素化が図れ、作業性を向上させることが出来、更にリフォーム前の外壁に埋設・固定した固定部材の内径部に打ち込まれたボルト状の固定部材のローレット加工部の働きで、回り止めが成され、緩み防止を図ることが可能となり、リフォーム用の外壁のリフォーム前の外壁への取り付け固定を、より確実に行なうことが出来る。【００１４】  請求項４記載の建築物外壁のリフォーム施工方法に於いては、ボルト状の固定部材の先端部分に凸状部を設け、筒状に形成されたリフォーム前の外壁に埋設・固定する固定部材の内径部に、前記ボルト状の固定部材の凸状部を打ち込むようにしてリフォーム用の外壁をリフォーム前の外壁に取り付け固定するようにしたので、リフォーム用の外壁のリフォーム前の外壁への取り付け固定が、ハンマー等で単に打ち込むだけという極めて簡単な操作で行うことが可能となり、施工の簡素化が図れ、作業性を向上させることが出来、更にリフォーム前の外壁に埋設・固定した固定部材の内径部に打ち込��れたボルト状の固定部材の凸状部の働きで、回り止めが成され、緩み防止を図ることが可能となり、リフォーム用の外壁のリフォーム前の外壁への取り付け固定を、より確実に行なうことが出来る。
【発明を実施するための最良の形態】
【００１５】  以下、本発明の実施の形態を図面に基づき詳細に説明する。図１は本発明による建築物の外壁リフォーム施工方法により改修された建築物の一実施態様を示す部分斜視図で、図２は図１のＣ部拡大詳細図、図３は図２のＡ−Ａ断面図であり、本発明による建築物の外壁リフォーム施工方法の一実施態様を示し、図４は同じく図２のＡ−Ａ断面図であり、本発明による建築物の外壁リフォーム施工方法の他の実施態様を示すものである。図５は本発明による建築物の外壁リフォーム施工方法に用いる外壁の一実施態様を示す平面図であって、図６は図５のＢ−Ｂ断面図である。図７は本発明による建築物の外壁リフォーム施工方法に用いる固定部材の一実施態様を示す平面図、図８は本発明による建築物の外壁リフォーム施工方法に用いる固定部材の他の実施態様を示す平面図であり、図９は本発明による建築物の外壁リフォーム施工方法に用いるホーク・カットアンカー（固定部材）の一実施態様を示す説明図である。そして図１０はリフォーム前の建築物の一例を示す部分斜視図で、図１１はリフォーム前の建築物の外壁構造の一例を示し、図１０による部分断面図である。【００１６】  初めに、本発明による建築物の外壁リフォーム施工方法を理解し易くするために、図１０及び図１１を用いて、リフォーム前の建築物の外壁の構造について説明することとする。図１０に示した建築物２００は、一般的な鉄筋コンクリート造であり、屋根２０１と外壁表面２０２そして窓２０３で表した極めて簡単な部分斜視図としている。建築物２００の外壁構造は、図１１に示した通りであるが、鉄筋コンクリート造に於ける外壁構造には色々あって、図１１に示したものは、色々ある中から１つを取り上げた代表例である。【００１７】  続いて、図１１を参照しながら、リフォーム前の外壁構造を詳しく説明する。外部仕上げ１０２は、硬質発泡ポリスチレン板に塗布したガラス繊維メッシュ入り接着モルタルで仕上げられたもので、この外部仕上げ１０２の表層部分が外壁表面２０２となっている。外部仕上げ１０２は、躯体コンクリート１０３の一方の面に施されていて、躯体コンクリート１０３の他方の面には、断熱材１０４そして該断熱材１０４の躯体コンクリート１０３と反対側には内装材１０５が適切な手段でもって取付け固定されている。即ち外壁１００は、外部仕上げ１０２、躯体コンクリート１０３、断熱材１０４そして内装材１０５が積層状に固定・固着されたものであって、必要によっては断熱材１０４と内装材１０５の間に空気層を設けた構造となっている。尚ここに説明した外壁構造は、既に説明した通り、種々ある外壁構造の一例であるのは云うまでもない。【００１８】  図１は、リフォーム前の建築物２００の外壁１００をリフォームした後の建築物２０を示したもので、屋根２１、外壁表面２２、窓２３が図示されている。外壁表面２２は、図２で理解できるように、タイル１９の表層部分に相当している。【００１９】  本発明による建築物の外壁リフォーム施工方法の構成を説明するに当たり、その基本構成を説明して置くことにする。本発明によるリフォーム施工方法は、リフォーム前の外壁１００に新しいリフォーム用の外壁１を取り付け固定することを基本としていて、そ��固定方法は、ボルト状の固定部材を外壁１に形成した孔に挿入するようにし、前記固定部材と協働する他の固定部材即ちホーク・カットアンカーをリフォーム前の外壁１００に埋設・固定し、前記固定部材とホーク・カットアンカーとでもって、外壁１を外壁１００に取り付け固定するものである。そして前記リフォーム用の外壁の表面には、タイル等表面仕上げ部材を取り付けるようにするものである。【００２０】  それでは、図３を参照しながら、本発明による建築物の外壁リフォーム施工方法の一実施態様について説明することにする。本発明による施工を行なう為には、第１に新しい外壁１を用意しなければならない。該外壁１は、後述するように平板状の外板２と、この外板２に適切な方法で取り付け固定・固着した断熱材３から成っている。外板２は、前述したリフォーム前の外壁１００に於ける構成部材の１つである外部仕上げ１０２と同じ様に、例えば硬質発泡ポリスチレン板に塗布したガラス繊維メッシュ入り接着モルタルで仕上げられたものであり、断熱材３は、発泡ウレタンを材料としている。尚、ここで説明した外板２及び断熱材３の材質や構造は一例として取り上げたものであって、これに限るものではない。第２に行なうことは、外壁１を外壁１００に取り付け固定する為に、外壁１００即ちリフォーム前の外壁に取り付け用の孔をドリル等により形成することである。この様にして外壁１００に形成された孔には、ホーク・カットアンカー１８を圧入し、後述するように孔内に確実に固定させる。これによって、外壁１の取り付け準備は完了し、後は、固定部材１７を使用して外壁１を外壁１００に取り付けるのみとなり、図３は、取り付け固定が完了した状態を示している。その手順は、外壁１００に形成した孔に、外壁１に形成した段付孔４及び通し孔５を対応させることから始める。そして後、固定部材１７を段付孔４、通し孔５に挿入し、該固定部材１７を外壁１００の孔内に埋設された前記ホーク・カットアンカー１８に螺合させることで、取り付け固定は完了する。尚、念の為付言すれば、本実施態様に於ける固定部材１７は、ボルト状となっていて、ホーク・カットアンカー１８に形成したナット機能部との間で、ボルトＡＮＤナットの関係となっている。【００２１】  次に、図４により、本発明による建築物の外壁リフォーム施工方法の他の実施態様を説明するところであるが、それに先立ち図５と図６に基づき、新しい外壁即ちリフォーム用外壁１について詳細に説明する。外壁１は、平面視四角形の平板状に形成されており、その構造は平板状の外板２に断熱材３が接着剤等によって、確実に取り付け固定されたものとなっていて、外板２のコーナー部近傍適所には、それぞれ段付孔４が貫設されており、該段付孔４に対応する位置の断熱材３には、通し孔５が貫設されている。外板２が硬質発泡ポリスチレン板に塗布したガラス繊維メッシュ入り接着モルタルで仕上げられたものであり、断熱材３が発泡ウレタンを材料としたものであることは、既に述べた通りであり、しかも材質や構造が前述したものに限られないのは云うまでもないことである。又、外壁１の形状を平面視四角形とし、取り付け用の段付孔４そして通し孔５を４箇所としたのは、あくまで一例であり、���板２及び断熱材３の材質や厚さを含めて特に限定されるものではなく、仕様に合わせて変更可能である。勿論、実際の施工に当たっては、リフォームの内容に応じた枚数の外壁１が必要となることは云うまでもない。更に外壁１の大きさは、施工作業に負担のかからないサイズとされている。【００２２】  引き続き、本発明による建築物の外壁リフォーム施工方法の他の実施態様を図４により説明する。尚、同一構成部品には同一符合を付してあるので念のため付言して置く。施工を行なう為には、第１に新しい外壁１を用意すること、第２に外壁１を外壁１００に取り付け固定する為の孔を外壁１００に形成すること、そして外壁１００に形成した孔に、ホーク・カットアンカーを圧入埋設し、孔内に固定させることが必要である。こうした準備作業等は、前述した実施態様と全く同じであるので、説明は省略する。本実施態様のポイントは、固定部材６とホーク・カットアンカー１２（固定部材）に存在する。【００２３】  では、固定部材６とホーク・カットアンカー１２がどのようなものか、図７と図９により詳細に説明する。固定部材６は、頭部７と胴部８から成り、胴部８の頭部７とは反対側には複数のローレット加工部１０が形成されている。９は溝部、１１は端部である。ホーク・カットアンカー１２は、図９から良く理解出来るように、筒状の本体の一方側に適切な長さに設定されたスリット１４（９０度間隔で４箇所）が設けられていて、該スリット１４形成部表面側で長手方向とは直交する円周方向に複数の係止用突状部１５が形成されている。１６は、円錐体の上側を底辺に対し平行にカットした状態（縦断面が台形）のコーンであって、本体に於けるスリット１４形成側の内径部１３に小径部を圧入した状態で、本体にスライド可能に配設固定されている。従って、コーン１６の端部（大径部）を抑えておいて、本体部を矢印Ｐ方向に打ち込むと、同方向に、且つ前記コーン１６の傾斜面をスライドして、スリット１４形成部分が矢印Ｑ方向に拡開するようになっている。従って、外壁１００の孔の底部まで圧入状態で挿入した後、前記本体部を打ち込むと、スリット１４形成部分が拡開して係止用突状部１５が外壁１００の孔内壁に食い込むようになり、ホーク・カットアンカー１２は、外壁１００に固定されると同時に抜け止めが行なわれる。尚、固定部材６は、ホーク・カットアンカー１２の内径部１３に圧入状態で打ち込まれるので、ある程度固定・固着されることになるが、ローレット加工部１０により、さらに確実性が増し、回り止め機能をも有したものとなっている。【００２４】  こうした構成を持つ固定部材６とホーク・カットアンカー１２を使用する本実施態様について、図４を基に、図７及び図９を参照しながら、引き続き説明する。外壁１を外壁１００に対して適正な位置に配設した後、固定部材６を外壁１の段付孔４そして通し孔５に挿入し、更に外壁１００の孔に侵入させる。そして後、固定部材６を外壁１００に埋設固定されているホーク・カットアンカー１２の内径部１３に打ち込むのである。この時、ホーク・カットアンカー１２の内径部１３の径は、固定部材６に於けるローレット加工部１０の外形より所定量小さく設定されているので、確実に固定されるばかり���なく、前述したように、ローレット加工部１０によって回り止めが図られており、外壁１００への外壁１の取り付け施工は、完璧なものとなる。【００２５】  ここで、前記実施態様に於ける固定部材１７及びホーク・カットアンカー１８と本実施態様に於ける固定部材６及びホーク・カットアンカー１２について、更に説明する。固定部材１７及びホーク・カットアンカー１８がボルトＡＮＤナット方式であるのに対し、固定部材６及びホーク・カットアンカー１２は打ち込み方式であることは、既に述べた通りであるが、打ち込み方式が固定部材６の頭部７をハンマー等により、単に叩くことで行われるのに対し、ボルトＡＮＤナット方式では、固定部材１７を回転させなければならず、作業性の難易の度合いは歴然としている。更にボルトＡＮＤナット方式は、何らかの緩み止め手段、例えばスプリングワッシャー等の使用が必要になる。それに対し、本実施態様に於ける打ち込み方式では、ローレット加工部１０によって、回り止めが図られていることから、自動的に緩み止めが行なわれることになり、品質的にも作業性等に於いても優れていることは自明であり、念の為付言して置くことにする。【００２６】  図８は、本発明による建築物の外壁リフォーム施工方法に用いる固定部材の更に他の実施態様を示す平面図であり、その構成を、図９を参照しながら説明する。固定部材２４は、頭部２５と胴部２６から成り、胴部２６の頭部２５とは反対側には、固定部材２４長手方向に対して直交する円周方向に複数の凸状部２８が形成されている。２７は溝部、２９は端部である。該固定部材２４を使用する場合は、ホーク・カットアンカーを含め、準備作業等すべて図７に於ける固定部材６の場合と同じであるので説明は省略し、外壁１００に対する外壁１の固定・固着方法について説明することにする。尚、本実施態様は、図７に於ける固定部材６の場合と同様に、打ち込み方式であるので、付言して置く。【００２７】  外壁１を外壁１００に対して適正な位置に配設した後、固定部材２４を外壁１の段付孔４そして通し孔５に挿入し、更に外壁１００の孔に侵入させる。そして後、固定部材２４を外壁１００に埋設固定されているホーク・カットアンカー１２の内径部１３に打ち込む。この時、ホーク・カットアンカー１２の内径部１３の径は、固定部材２４に於ける凸状部２８の外形より所定量小さく設定されているので、確実に固定されるばかりでなく、打ち込み時、ホーク・カットアンカー１２の内径部１３によって、先端が変形した凸状部２８によって、実質的に回り止めが図られ、自動的に緩み止めが施された状態で固定・固着が行なわれる。【００２８】  尚、本発明による建築物の外壁リフォーム施工方法に用いる固定部材の打ち込み方式の技術即ち固定部材６及びホーク・カットアンカー１２等の固定方法は、外壁リフォームの施工以外にも応用可能である。例えば、携帯電話の本体と基板そしてフェンスの取付けや家具或いは物置の組立、更には自動車部品の組立等である。その使い方は、取付け固定したい２つの部材の内の一方側にボルト状の固定部材挿入用の孔を貫設し、他方側の部材にホーク・カットアンカーの筒状内壁に相当する孔を形成し、この孔にボルト状の固定部材を打ち込むよ��にするのである。但し、前記他方側の部材の強度が弱いものについては、該部材にホーク・カットアンカーに相当するものを、埋設固定する必要があるのは勿論である。
【図面の簡単な説明】
【００２９】
【図１】本発明による建築物の外壁リフォーム施工方法により改修された建築物の一実施態様を示す部分斜視図である。
【図２】図１のＣ部拡大詳細図である。
【図３】図２のＡ−Ａ断面図であり、本発明による建築物の外壁リフォーム施工方法の一実施態様を示すものである。
【図４】図２のＡ−Ａ断面図であり、本発明による建築物の外壁リフォーム施工方法の他の実施態様を示すものである。
【図５】本発明による建築物の外壁リフォーム施工方法に用いる外壁の一実施態様を示す平面図である。
【図６】図５のＢ−Ｂ断面図である。
【図７】本発明による建築物の外壁リフォーム施工方法に用いる固定部材の一実施態様を示す平面図である。
【図８】本発明による建築物の外壁リフォーム施工方法に用いる固定部材の他の実施態様を示す平面図である。
【図９】本発明による建築物の外壁リフォーム施工方法に用いるホーク・カットアンカー（固定部材）一実施態様を示す説明図である。
【図１０】リフォーム前の建築物の一例を示す部分斜視図である。
【図１１】リフォーム前の建築物の外壁構造の一例を示し、図９による部分断面図である。
【符合の説明】
【００３０】１  外壁
２  外板
３  断熱材
４  段付孔
５  通し孔
６  固定部材
７  頭部
８  胴部
９  溝部
１０  ローレット加工部
１１  端部
１２  ホーク・カットアンカー（固定部材）
１３  内径部
１４  スリット
１５  係止用突状部
１６  コーン
１７  固定部材
１８  ホーク・カットアンカー（固定部材）
１９  タイル
２０  建築物
２１  屋根
２２  外壁表面
２３  窓
２４  固定部材
２５  頭部
２６  胴部
２７  溝部
２８  凸状部
２９  端部
１００  外壁
１０２  外部仕上げ部
１０３  躯体コンクリート
１０４  断熱材
１０５  内装材
２００  建築物
２０１  屋根
２０２  外壁表面
２０３  窓
【図１】
2006336443.tif 000003
【図２】
2006336443.tif 000004
【図３】
2006336443.tif 000005
【図４】
2006336443.tif 000006
【図５】
2006336443.tif 000007
【図６】
2006336443.tif 000008
【図７】
2006336443.tif 000009
【図８】
2006336443.tif 000010
【図９】
2006336443.tif 000011
【図１０】
2006336443.tif 000012
【図１１】
2006336443.tif 000013